(57)【要約】【課題】  道路、団地などの地域で降雨により発生する浮遊物質、土砂などの汚染物質が川または湖沼などに直接放流されることを防止し、浮遊または汚染物質を沈殿および吸着濾過手段により除去することが可能な非点汚染源除去装置を提供する。【解決手段】  雨汚水が流入される流入口と流入雨汚水を越流させる越流ゲートが形成された流入待機室と、前記流入待機室に連通した第１流入口と、第１流出口とを有し、それぞれに設けられた第１流入隔板と第１流出隔板を含む１次沈殿室と、前記１次沈殿室の第１流出口に連通され、第２流出口と、第２流出隔板とを含む２次沈殿室と、前記２次沈殿室の前記第２流出口に連通され、放流水が留まる放流待機室と、前記２次沈殿室に設けられ、浮遊物質および汚染物を吸着除去する濾過手段を含んでなり、初期降雨６〜１５ｍｍに含まれた汚染源を処理するための容量を有する非点汚染源除去装置。【選択図】  図２
2006316529.tif 000002
【特許請求の範囲】
【請求項１】
雨汚水が流入される流入口と流入雨汚水を越流させる越流ゲートが形成された流入待機室と、
前記流入待機室に連通した第１流入口と、第１流出口とを有し、前記第１流入口および前記第１流出口にそれぞれ設けられた第１流入隔板と第１流出隔板を含む１次沈殿室と、
前記１次沈殿室の第１流出口に連通され、第２流出口と、前記第２流出口に設けられた第２流出隔板とを含む２次沈殿室と、
前記２次沈殿室の前記第２流出口に連通され、放流水が留まる放流待機室と、
前記２次沈殿室に設けられ、浮遊物質、溶存性汚染物質および汚染物を吸着除去する濾過手段を含んでなり、初期降雨６〜１５ｍｍに含まれた汚染源を処理するための容量を有することを特徴とする非点汚染源除去装置。
【請求項２】
前記１次沈殿室の第１流入隔板および第１流出隔板と前記２次沈殿室の第２流出隔板の上部には排気口が設けられることを特徴とする請求項１に記載の非点汚染源除去装置。
【請求項３】
前記流入待機室、前記１次沈殿室、前記２次沈殿室、および前記放流待機室は互いに内壁を共有するように形成され、
前記流入待機室の越流ゲートは前記流入待機室と前記放流待機室との間の内壁上部に形成されることを特徴とする請求項１又は請求項２に記載の非点汚染源除去装置。
【請求項４】
前記第１流入口は、前記越流ゲートと同一またはそれより低い高さに形成されることを特徴とする請求項１ないし請求項３のいずれかに記載の非点汚染源除去装置。
【請求項５】
１日降雨量６〜１５ｍｍが１時間内に流入した場合、前記流入待機室と前記放流待機室のそれぞれに滞留する時間が１〜１０分であることを特徴とする請求項１ないし請求項４のいずれかに記載の非点汚染源除去装置。
【請求項６】
１日降雨量１０ｍｍが、前記第１流入口と前記第２流出口を介して、０．５〜１．０時間に流入または流出されるように設計されることを特徴とする請求項１ないし請求項５のいずれかに記載の非点汚染源除去装置。
【請求項７】
前記１次沈殿室と前記２次沈殿室それぞれでの流体滞留時間が、１０〜２４０分の範囲にあることを特徴とする請求項１ないし請求項６のいずれかに記載の非点汚染源除去装置。
【請求項８】
前記１次沈殿室と前記２次沈殿室との間に、５０〜１００ｍｍの水頭差が存在することを特徴とする請求項１ないし請求項７のいずれかに記載の非点汚染源除去装置。
【請求項９】
前記第１流入隔板、第１流出隔板および第２流出隔板は、底面から有効水深の２／５〜３／５の高さに位置することを特徴とする請求項１ないし請求項８のいずれかに記載の非点汚染源除去装置。
【請求項１０】
前記第１流入隔板、第１流出隔板および第２流出隔板のそれぞれの横幅と各流入口または流出口の内径（Ｄ）の比が１．５〜２．０：１、それぞれの縦幅と各有効水深（Ｈ）の比が１：０．４〜０．６、前記各流出口または流入口が形成された内壁と隔板の離隔距離が１００〜３００ｍｍであることを特徴とする請求項１ないし請求項９のいずれかに記載の非点汚染源除去装置。
【発明の詳細な説明】
【技術分野】
【０００１】
本発明は、主として降雨時に発生する非点汚染源を除去する装置に係り、より詳しくは、道路、駐車場、商店街、住宅団地、産業団地などの地域で降雨により発生する浮遊物質、土砂などの汚染物質が、雨汚水管路を介して川または湖沼などに直接放流されることを防止し、浮遊または溶存している汚染物質を沈殿および吸着濾過手段により効果的に除去することができる非点汚染源除去装置に関するものである。
【背景技術】
【０００２】
非点汚染源は、特定の排出経路を通じて発生せずに不特定の排出経路を通じて発生する汚染物質であって、主に降雨時に地表面流出水とともに流出されて川などに流入して水質に悪影響を及ぼす。
【０００３】
降雨により発生した非点汚染源を除去するために使用されている従来の方法としては、貯留型（貯留槽、池、人工湿地など）、浸透型（浸透槽、浸透溝など）、植生型（植生濾過帯、植生水路など）、装置型（ストームフィルタ、サンドフィルタ、ストームゲートなど）などがある。
【０００４】
このような従来の非点汚染源除去装置は、初期降雨後の汚染物質が殆どない雨水も処理しなければならないため、非効率的であり、全体降雨量を処理しなければならないため、設備施設が無駄に大きくなるといった問題点を有する。
【０００５】
すなわち、道路、駐車場、商店街、住宅団地、産業団地などで降雨により発生する非点汚染源の殆どは、６〜１５ｍｍ、より詳しくは１０ｍｍの初期降雨に含まれている。しかし、前述したような施設は、この事実とは無関係に、該当地域の降雨記録資料および土地利用計画などの資料に基づき、発生降雨の全量を処理するように設計されているため、施設の過大と処理効率の低下に帰結される問題点を抱えている。
【０００６】
従来の非点汚染源処理施設の設計例を挙げると、降雨再現期間が１０年、持続時間が１時間であるとき、降雨強度はおよそ６８ｍｍ／ｈｒであって、初期降雨１０ｍｍの６．８倍に相当する降雨強度に合う処理施設が設計されている。
【０００７】
そのほかの既存の処理施設の問題点は次のようである。
【０００８】
貯留型の場合は、比較的大規模の土地が必要であるため、既に開発された地域などには地価の上昇で設置が難しく、夏季には蚊、蝿などの害虫が発生するため、保健上の問題点を誘発する。
【０００９】
浸透型は、土砂、浮遊物、および汚染物の持続的な流入により空隙が詰まるため、処理効率が低下するなど、維持管理が難しく、地下に浸透されるため、地下水の汚染可能性が高い。
【００１０】
植生型は、一定規模以上の土地が必要となり、植生が維持できる理想的環境条件が必要である。
【００１１】
装置型は、浮遊物質を一定分除去することはできるが、溶存性汚染物質、または重金属のような汚染物質を殆ど除去することができないなどの問題点を持っている。
【００１２】
特に、現代社会の急激な都市、道路、工場などの開発および発達により発生する多種多様な汚染物質が地表面または浅い地中に累積していて、雨天時に川または湖沼などに直接流入して、水生植物が斃死し、上水源汚染が深刻化しているが、これに対する効率的な対策がない状態である。
【００１３】
本発明者らは非点汚染源を効率よく除去するため、初期降雨６〜１５ｍｍ、好ましくは１０ｍｍを採集し、沈殿による汚染物質の分離と、吸着濾過手段による溶存性汚染物質、重金属などの除去を可能にする装置を開発した。
【発明の開示】
【発明が解決しようとする課題】
【００１４】
したがって、本発明は前記のような従来の問題点を補完、改善するためになされたもので、初期降雨６〜１５ｍｍ、好ましくは１０ｍｍに対する効率的な処理容量を有し、沈殿による汚染物質の分離と、吸着濾過手段による溶存性汚染物質、重金属などの除去を可能にすることにより、非点汚染源を効果的に処理し、処理施設をコンパクトにする装置を提供することにある。
【００１５】
また、本発明は、初期降雨を多段階の浄化過程により川または湖沼に放流させることにより、水質汚染を減らすことができる非点汚染源除去装置を提供することにある。
【課題を解決するための手段】
【００１６】
上記課題を解決するために、本発明は、雨汚水が流入される流入口と流入雨汚水を越流させる越流ゲートが形成された流入待機室と、前記流入待機室に連通した第１流入口と、第１流出口とを有し、前記第１流入口および前記第１流出口にそれぞれ設けられた第１流入隔板と第１流出隔板を含む１次沈殿室と、前記１次沈殿室の第１流出口に連通され、第２流出口と、前記第２流出口に設けられた第２流出隔板とを含む２次沈殿室と、前記２次沈殿室の前記第２流出口に連通され、放流水が留まる放流待機室と、前記２次沈殿室に設けられ、浮遊物質、溶存性汚染物質および重金属のような汚染物を吸着除去する濾過手段を含んでなり、初期降雨６〜１５ｍｍに含まれた汚染源を処理するための容量を有することを特徴とする、非点汚染源除去装置を提供する。
【発明の効果】
【００１７】
以上のように、本発明の非点汚染源除去装置は、初期降雨６〜１５ｍｍ、好ましくは１０ｍｍを採集して、沈殿により汚染物質を分離し、吸着濾過手段による溶存性汚染物質、重金属などを除去することにより、非点汚染源を効果的に処理することができるもので、非点汚染源による川または湖沼の汚染を大きく減少させることができる。
【００１８】
特に、本発明は、既存の処理装置が降雨の全量を流入して処理する方式を採択するため処理施設が過大となる問題点と、初期降雨以後の汚染物質の殆どなお雨水も処理しなければならない非効率性を一緒に解決することができる、経済的な非点汚染源処理装置である。
【発明を実施するための最良の形態】
【００１９】
以下、添付図面を参照しながら本発明の好適な実施形態による非点汚染源除去装置について詳細に説明する。
【００２０】
図１および図２に示すように、本発明の非点汚染源除去装置は、流入水が流入される流入待機室１０と、最終処理水が放流される放流待機室４０とが隣り合っており、前記流入待機室１０と放流待機室４０との間、つまり前記流入待機室１０と前記放流待機室４０との間の内壁上部には、越流水の排出のための越流ゲート１３が形成されている。
【００２１】
図面に示す非点汚染源除去装置Ｒは、前記流入待機室１０、１次沈殿室２０、２次沈殿室３０、および放流待機室４０が互いに内壁を共有する形態になっているので、除去装置Ｒが占める面積をできるだけ減らしてコンパクトな装置の具現を可能にしたものであって、必要に応じて多様な配列形態に変形可能である。
【００２２】
図２および図３に示すように、前記流入待機室１０の一側には、雨汚水流入のための雨水流入口１１が形成され、他側には、１次に汚染物質を沈殿、除去する１次沈殿室２０が設けられ、前記流入待機室１０と前記１次沈殿室２０との間には１次沈殿室の第１流入口２１が形成されるので、流入待機室に収集された雨汚水が１次沈殿室の第１流入口２１を介して１次沈殿室２０に流入される。
【００２３】
また、１次沈殿室の第１流入隔板２５が前記１次沈殿室の第１流入口２１の内側で前方を遮るとともに底面側が開放された状態で１次沈殿室の内壁に離隔して装着されている。
【００２４】
図２および図４に示すように、前記１次沈殿室２０との並列の位置には、前記１次沈殿室で沈殿、分離されていない汚染物質を沈殿、除去する２次沈殿室３０が設けられる。
【００２５】
前記１次沈殿室と前記２次沈殿室との間には１次沈殿室の第１流出口２３が形成されるので、１次沈殿室で処理された処理水が前記１次沈殿室の第１流出口２３を介して２次沈殿室３０に流入することもでき、図３に示すように、前記１次沈殿室の第１流出隔板２７が前記１次沈殿室の内側で第１流出口２３の前方を遮るとともに底面側が開放された状態で１次沈殿室の内壁に離隔して装着されている。
【００２６】
図４に示すように、前記放流待機室４０と前記２次沈殿室３０との間には２次沈殿室の第２流出口３１が形成されることにより、最終処理水が放流待機室４０に放流される。また、２次沈殿室３０の第２流出隔板３３が前記２次沈殿室の内部で第２流出口３１の前方を遮るともに底面側が開放された状態で前記２次沈殿室３０の内壁から一定間隔で離隔して装着されている。
【００２７】
図４および図６に示すように、前記２次沈殿室３０内には、多様な形態の濾材５１からなった吸着濾過手段５０が設けられていることにより、浮遊物質、溶存性汚染物質および重金属などが吸着、除去される。
【００２８】
一方、前記１次沈殿室２０の第１流入隔板２５および第１流出隔板２７と前記２次沈殿室３０の第２流出隔板３３の上部には排気口２５ａ、２７ａ、３３ａがそれぞれ設けられることにより、空気による流体流動妨害を防止する。
【００２９】
図１および図２に示すように、前記流入待機室１０、前記１次沈殿室２０、前記２次沈殿室３０、および前記放流待機室４０には、前記隔板２５、２７、３３および前記吸着濾過手段５０と各室１０、２０、３０、４０の維持管理のための蓋Ｃ１、Ｃ２、Ｃ３、Ｃ４が設けられている。特に、前記２次沈殿室３０の蓋Ｃ３は、板状の濾材５１の投入および分離を容易にするため、四角形になっている。
【００３０】
降雨が始まると、地表面および浅い地中の浮遊物質、土砂、汚染物質などが降雨とともに雨水流入口１１を介して流入待機室１０に流入される。この非点汚染物質のうち、粒子の大きい浮遊物質と土砂は流入待機室１０で沈殿され、残りの汚染物質は１次沈殿室２０および２次沈殿室３０を通過する過程で、初期雨水内に含まれた非点汚染源が分離、除去され、最終処理水が放流待機室４０を経由し放流口４１を介して放流される。
【００３１】
以下、本発明による非点汚染源除去装置の各部に対する設計因子、および汚染物除去作用についてより詳細に説明する。
【００３２】
まず、雨水流入口１１、流入待機室１０、放流待機室４０、および放流口４１は、梅雨期の洪水に浸水されないように、既存の計画雨水量算定指針にしたがい、該当地域の降雨記録資料または土地利用計画、排水面積などの資料に基づいて設計し、流入待機室１０と放流待機室４０は、１日降雨量６〜１５ｍｍ、好ましくは１０ｍｍ（以下では、１０ｍｍの場合を挙げて説明する）が１時間内に流入された場合、設置地域の条件によって１分〜１０分の範囲で滞留時間を決めるとよい。
【００３３】
本発明の非点汚染源除去装置においては、１日１時間内の降雨量１０ｍｍが前記流入待機室１０と放流待機室４０のそれぞれに滞留する時間が１〜１０分である。
【００３４】
本発明においては、初期雨水が雨水流入口１１と流入待機室１０に流入され、まず１次沈殿室２０と２次沈殿室３０に流入されて汚染物が処理されるようにするため、１次沈殿室の第１流入口２１の高さが越流ゲート１３の高さと同一にまたはそれより低く設置されることが好ましいが、これは設置地域の条件によって変更可能である。
【００３５】
前記１次沈殿室２０の第１流入口２１と前記２次沈殿室３０の第２流出口３１の大きさは、１日降雨量１０ｍｍが１時間内に流入または流出されるように設計するが、当該地域の降雨量が多くて集中豪雨が頻繁な地域の場合は、０．５時間内に１０ｍｍが流入されるように設計してもよい。
【００３６】
本発明において、１次沈殿室の第１流入口２１と２次沈殿室の第２流出口３１の大きさは、１日降雨量１０ｍｍが前記１次沈殿室の第１流入口２１と２次沈殿室の第２流出口３１を介して０．５〜１．０時間内に流入または流出されるように決定される。
【００３７】
図２〜図５に示すように、１次沈殿室の第１流入隔板２５、１次沈殿室の第１流出隔板２７、および２次沈殿室の第２流出隔板３３は、それぞれ１次沈殿室の第１流入口２１、１次沈殿室の第１流出口２３および２次沈殿室の第２流出口３１の全体を覆うように設けられ、それぞれの横幅と各流入口または流出口の内径（Ｄ）の比が１．５〜２．０：１、それぞれの縦幅と各有効水深（Ｈ）の比が１：０．４〜０．６、前記流出口および流入口が形成された内壁と隔板との離隔距離が１００〜３００ｍｍであることが、円滑な汚水の流通と汚染物質の分離のために好ましい。
【００３８】
ここで、前記隔板の上部に設けられる排気口２５ａ、２７ａ、３３ａの内径は２０〜５０ｍｍ、長さは１００〜３００ｍｍであり得る。前記各隔板と排気口を形成する管は、合成樹脂（ポリエチレン）、繊維強化プラスチック（ＦＲＰ）、またはステンレスなどで製造できる。
【００３９】
前記１次沈殿室２０においては、流入待機室１０で沈殿されていない汚染物が沈殿され、上部には、オイル、グリースなどのように、水より比重の低い有機汚染物質などが分離され、処理水は１次沈殿室２０の第１流出隔板２７を通過し１次沈殿室２０の第１流出口２３を介して２次沈殿室３０に流入される。
【００４０】
一方、１次沈殿室２０の内壁に装着される第１流入隔板２５と第１流出隔板２７が底面部から有効水深（Ｈ）の２／５Ｈ〜３／５Ｈの高さに設置されることが、水より比重の低い汚染物が全体汚水中で占める体積を考慮して、浮遊有機汚染物の適切な分離のために好ましい。
【００４１】
言い換えれば、オイルまたはグリースなどのように、水より比重の低い汚染物が１次沈殿室２０に流入されると、図３に斜線で示すように分離され、浮遊物は放流されないので、汚染物質は降雨時または降雨が止んだとき、取り出して易く除去することができる。
【００４２】
ついで、前記２次沈殿室３０においては、１次沈殿室２０で沈殿、分離されていない物質を沈殿、分離させるとともに、２次沈殿室３０内に取り付けられる吸着濾過手段５０により溶存性有機物と重金属のような汚染物などが吸着、除去され、ついで処理水は２次沈殿室３０の第２流出隔板３３と第２流出口３１を介して放流待機室４０に流入した後、放流口４１を介して最終に放流される。
【００４３】
前記２次沈殿室３０の内壁に装着された第２流出隔板３３は底面から有効水深（H）の２／５〜３／５の高さに設定されるので、１次沈殿室２０で分離されなくて２次沈殿室３０に流入したオイルまたはグリースなどの有機汚染物質のように比重の低い汚染物質は、図４に斜線で示すように、もう一度分離される。
【００４４】
このように、２次沈殿室３０に隔板が設置される理由は、一定期間にオイルおよびグリースなどの物質が過多に流入したか、または掃除などの維持管理が足りなくて、１次沈殿室２０内で浮遊する汚染物が容量を超える場合、２次沈殿室３０に汚染物質が流入することになるとき、この流入汚染物質を除去するためのものである。
【００４５】
図６は吸着濾過手段５０として使用される濾材５１の一実施形態を示す。
本発明に使用される吸着濾過手段５０は、ポリエチレン、高密度ポリエチレン（ＨＤＰＥ）、繊維強化プラスチック、ステンレスのいずれか１種から製造可能であり、前後面に多数の孔が穿孔されている。前記各孔の径は１ｍｍ〜５ｍｍが好ましい。
【００４６】
前記吸着濾過手段５０は多数の濾材５１から構成可能であり、各濾材５１の厚さは３０ｍｍ〜１００ｍｍのブロック型であり得る。前記吸着濾過手段５０の濾材５１には、吸着物質として活性炭、膨張性蛭石、膨張性パーライト、ゼオライトまたはこれらの混合物を充填できる。前記濾材に充填される吸着物質の種類は本発明の装置が設定される地域によって選択される。
【００４７】
前記吸着濾過手段５０の濾材５１内に充填される吸着物質の種類による機能は次のようである。
【００４８】
活性炭は、周知のように、溶存性有機物質および重金属などを吸着除去する機能をし、膨張性蛭石は、一般に金雲母および黒雲母を指す蛭石を熱処理して膨張させたメディアであって、現在地球上で知られた鉱物のうち、陽イオン交換能力が最も大きい鉱物質であり、鉄、銅、亜鉛、クロム、鉛、水銀などを除去する機能をする。また、膨張性パーライトは火山活動により生成された天然鉱物である真珠岩の体積を数十倍に膨張させて作った超軽量の多角質の白色粒子であって、窒素、燐および油分の除去に優れた効能を有し、ゼオライトは凝灰岩の変性物であって、珪酸アルミニウムなど、陽イオン交換機能を有する天然鉱物であり、重金属の吸着および水中のアンモニアおよび窒素の除去に優れた効能を持っている。このような吸着物質が吸着濾過手段５０の濾材５１内に充填されることにより、溶存性汚染物質および重金属などの除去に優れた効能を有する。
【００４９】
前記濾材５１は前記吸着濾過手段５０をなすハウジングにジグザグ状に配列されることにより、処理水との接触面積が増大できる。前記吸着手段５０の濾材５１は前記２次沈殿室３０内に少なくとも１組が設置され、濾過効率をさらに増大させるため３組以上設置できる。しかし、設置場所および条件によって、汚染濃度が高いところでは設置台数を増やすことができる。吸着濾過手段５０を複数設置する場合、掃除および維持管理のため、設置間隔は３００ｍｍ〜１０００ｍｍとする。
【００５０】
１次沈殿室２０と２次沈殿室３０を通過しながら汚染物質が除去された処理水は放流待機室４０と放流口４１を介して川または湖沼などに放流される。
【００５１】
本発明の非点汚染源除去装置Ｒは、コンクリート、繊維強化プラスチック、高密度ポリエチレンなどの材質から製造可能である。
【００５２】
一方、本発明の非点汚染源除去装置は、流体の逆流防止、および円滑な処理のため、１次沈殿室２０と２次沈殿室３０との間に５０ｍｍ〜１００ｍｍの水頭差（図示せず）を有することが好ましい。
【００５３】
また、本発明において、１次沈殿室２０と２次沈殿室３０での流体滞留時間は、設置場所および条件に応じて、１０分〜２４０分の範囲で設定することができる。
【００５４】
一方、降雨が始まった後、降雨量が１０ｍｍを越えて流入した降雨は汚染物質が殆どない雨水であるので、これは越流ゲート１３を介して放流待機室４０に流入し、放流口４１を介して放流される。
【００５５】
前記流入待機室１０および前記放流待機室４０と、前記１次沈殿室の流出隔板２７および前記吸着濾過手段５０の上部にはそれぞれ蓋Ｃ１、Ｃ２、Ｃ３、Ｃ４が設けられるので、本発明の装置を便利に使用することができる。
【００５６】
本発明の非点汚染源除去装置の維持管理は度々行うことが処理効率の面でよいが、経済性を考慮して、少なくとも春季、梅雨前後など、適正時期を選択して、１年に１回または２回くらい定期的に行うことが好ましい。
【００５７】
また、吸着濾過手段５０内に充填された活性炭、膨張性蛭石、ゼオライト、膨張性パーライトなどは、汚染発生地域によって違うが、１年ないし２年を周期として交換するとよい。
【００５８】
前述したように、初期降雨６〜１５ｍｍで降った降雨による非点汚染源の処理を保障する本発明の非点汚染源除去装置を用いると、雨汚水による川または湖沼の汚染を効果的に防止することができる。
【００５９】
本発明の非点汚染源除去装置の設計例はつぎのようである。
【００６０】
＜設計例１＞
排水面積：１エーカー（４０４６．９５ｍ２）
１次沈殿室２０と２次沈殿室３０での滞留時間：１５分
初期降雨１０ｍｍが１時間内に流入
流出係数：０．９５
流入待機室１０と放流待機室４０：１０００ｍｍ（長さ）×１０００ｍｍ（幅）×２０００ｍｍ（高さ）
１次沈殿室２０の第１流入口２１および第１流出口２３の内径：５０ｍｍ〜１００ｍｍ
１次沈殿室２０：２４００（長さ）×１０００ｍｍ（幅）×２０００ｍｍ（高さ）
２次沈殿室３０：２４００（長さ）×１０００ｍｍ（幅）×２０００ｍｍ（高さ）
吸着濾過手段５０の濾材５１：１００ｍｍ（厚さ）×１０００ｍｍ（幅）×２０００ｍｍ（高さ）×３組
２次沈殿室３０の第２流出口３１の内径：１００ｍｍ〜２００ｍｍ
【００６１】
＜設計例２＞
排水面積：１エーカー（４０４６．９５ｍ２）
１次沈殿室２０と２次沈殿室３０での滞留時間：３０分
初期降雨１０ｍｍが１時間内に流入
流出係数：０．９５
流入待機室１０と放流待機室４０：１２００ｍｍ（長さ）×１２００ｍｍ（幅）×２０００ｍｍ（高さ）
１次沈殿室２０の第１流入口２１および第１流出口２３の内径：７０ｍｍ〜１４０ｍｍ
１次沈殿室２０：４０００（長さ）×１２００ｍｍ（幅）×２０００ｍｍ（高さ）
２次沈殿室３０：４０００（長さ）×１２００ｍｍ（幅）×２０００ｍｍ（高さ）
吸着濾過手段５０の濾材５１：１００ｍｍ（厚さ）×１２００ｍｍ（幅）×２０００ｍｍ（高さ）×３組
２次沈殿室３０の第２流出口３１の内径：１４０ｍｍ〜２８０ｍｍ
【００６２】
本発明の非点汚染源除去装置は、設置場所および汚染源などの条件によって装置の滞留時間および規格などを調整することができる。
【００６３】
前記設計例は本発明を例示するためだけのものであり、本発明の適用範囲が前記設計例に限定されるものではなく、本発明の趣旨を損なわない範囲で多様に変更可能なものである。したがって、本発明の設計例に提示した各構成要素、形状、構造などは変更して実施することができ、このような変形は本発明の範囲内に属するものと了解される。
【産業上の利用可能性】
【００６４】
本発明は、道路、駐車場、商店街、住宅団地、産業団地などの地域で降雨により発生する浮遊物質、土砂などの汚染物質が、雨汚水管路を介して川または湖沼などに直接放流されることを防止し、浮遊または溶存している汚染物質を沈殿および吸着濾過手段により効果的に除去することに適用可能である。
【図面の簡単な説明】
【００６５】
【図１】本発明による非点汚染源除去装置の斜視図である。
【図２】本発明による非点汚染源除去装置の概略平断面図である。
【図３】図２のＡ−Ａ線についての本発明による非点汚染源除去装置の縦断面図である。
【図４】図２のＢ−Ｂ線についての本発明による非点汚染源除去装置の縦断面図である。
【図５】本発明による非点汚染源除去装置の第１流入口およびその近傍の概略断面図である。
【図６】本発明による非点汚染源除去装置の吸着濾過手段に使用される濾材の斜視図である。
【符号の説明】
【００６６】
Ｒ    非点汚染源除去装置
Ｃ１、Ｃ２、Ｃ３、Ｃ４    蓋
１０    流入待機室
１１    雨水流入口
２１    第１流入口
１３    越流ゲート
２０    １次沈殿室
２３    第１流出口
３１    第２流出口
２５    第１流入隔板
２７    第１流出隔板
３３    第２流出隔板
２５ａ、２７ａ、３３ａ    排気口
３０    ２次沈殿室
４０    放流待機室
４１    放流口
５０    吸着濾過手段
５１    濾材
【図１】
2006316529.tif 000003
【図２】
2006316529.tif 000004
【図３】
2006316529.tif 000005
【図４】
2006316529.tif 000006
【図５】
2006316529.tif 000007
【図６】
2006316529.tif 000008